(57)【特許請求の範囲】
【請求項１】
建築物の外部空間と内部空間とを隔てる隔壁に形成された開口部に通気制御装置を装着する際に用いられる通気制御装置の取付具であって、
前記開口部の前記外部空間側における開口端面に前記開口部を横切る配置で取り付けられ、前記通気制御装置を前記開口部に取り付け保持する保持部材と、
該保持部材を前記開口部に固定するための保持部材固定部を備え、
前記保持部材固定部は、
前記開口部の内部空間側壁面に係合する壁面係合部と、
前記開口部において、前記外部空間と前記内部空間の間を往復動可能な状態で前記壁面係合部に装着されたネジと、
前記ネジの前記開口部における往復動動作の一方の動作を拘束するワンウェイクラッチと、を有し、
前記ワンウェイクラッチは、前記開口部において前記ネジを前記内部空間側へ押し込む移動動作時にアンロック状態となり、前記開口部において前記ネジを前記外部空間側に引き出す移動動作時にロック状態となることを特徴とする通気制御装置の取付具。
【請求項２】
前記壁面係合部は、
コの字型に形成された本体部と、当該本体部の一方の先端部に形成され前記内部空間側壁面に係合する係合爪と、前記本体部を前記ネジに挿通保持させるための挿通孔と、前記ワンウェイクラッチを装着するための装着孔と、を有し、
前記ワンウェイクラッチは略Ｌ字状の板体に形成され、一方の辺に前記ネジを挿通させるネジ挿通孔が設けられると共に、他方の辺が前記装着孔に挿入されることにより前記装着孔内に遊嵌保持されていて、
前記ネジが前記開口部において前記外部空間側に引き出される際に、前記ネジ挿通孔に挿通させた前記ネジのネジ山に前記一方の辺が係合することによりロック状態になることを特徴とする請求項１記載の通気制御装置の取付具。
【請求項３】
前記板体は、前記ネジが挿通される側の前記一方の辺が中途位置において曲折部が形成されていることを特徴とする請求項２記載の通気制御装置の取付具。
【請求項４】
前記ネジは、前記内部空間側の端部には袋ナットが取り付けられていること特徴とする請求項２または３記載の通気制御装置の取付具。
【請求項５】
前記保持部材は、両端部が曲折された略コの字型に形成されていて、当該曲折された両端部が前記通気制御装置に形成された装着固定部に装着されるべく、前記開口部に隣接する前記隔壁の外部空間側表面において起立していることを特徴とする請求項１〜４のうちのいずれか一項に記載の通気制御装置の取付具。
【請求項６】
請求項１〜５のうちのいずれか一項に記載の通気制御装置の取付具への装着固定部が設けられていることを特徴とする通気制御装置。
【請求項７】
請求項１〜５のうちのいずれか一項に記載の通気制御装置の取付具を、建築物の外部空間と内部空間とを隔てる隔壁に形成された開口部に固定する通気制御装置の取付具固定方法であって、
前記開口部の外部空間側から前記内部空間に向けて前記壁面係合部と前記ネジを挿通させた前記ワンウェイクラッチを挿入する工程と、
前記壁面係合部を前記開口部に隣接する前記隔壁の内部空間側壁面に係止させる工程と、
前記ネジを前記内部空間側から前記外部空間側に引き出す方向に回転させることにより、前記ワンウェイクラッチをロック状態にすることにより、前記内部空間側壁面と前記通気制御装置の取付具との間で前記隔壁を挟持させた状態を維持させる工程と、を有することを特徴とする通気制御装置の取付具固定方法。
【請求項８】
請求項２〜５のうちのいずれか一項に記載の通気制御装置の取付具を、建築物の外部空間と内部空間とを隔てる隔壁に形成された開口部に固定する通気制御装置の取付具固定方法であって、
前記開口部の外部空間側から前記内部空間に向けて前記壁面係合部と前記ネジを挿通させた前記ワンウェイクラッチを挿入する工程と、
前記壁面係合部の本体部に形成された係合爪を前記内部空間側壁面に係合させる工程と、
前記本体部に遊嵌保持された前記板体をアンロック状態にしながら、前記ネジを前記内部空間側から前記外部空間側に所要距離引き出すように回転させる工程と、
前記本体部に遊嵌保持された前記板体のアンロック状態を開放した状態で、前記ネジを前記内部空間側から前記外部空間側に引き出すようにさらに回転させる工程と、
前記ネジを前記開口部において前記外部空間側に引き出す際に、前記ネジ挿通孔に挿通させた前記ネジのネジ山に前記一方の辺を係合させることによりロック状態とし、前記内部空間側壁面と前記通気制御装置の取付具との間で前記隔壁を挟持させた状態を維持させる工程と、を有していることを特徴とする通気制御装置の取付具固定方法。
【発明の詳細な説明】
【技術分野】
【０００１】
本発明は、通気制御装置の取付具および通気制御装置と、通気制御装置の取付具固定方法に関する。
【背景技術】
【０００２】
本発明者は、外気を建物の通気層に取り入れることにより、木材等の構造材の蒸れを防止して建築物の耐久性を高め、住環境を好適に維持することを可能にしたいわゆる通気断熱構造を備えた建築構造に用いて好適な通気制御装置についていくつか提案をしている（特許文献１、２参照）。この通気制御装置は、通常の鋼材からなる第１のばねと、熱感知式形状記憶合金からなる第２のばねを用い、外部気温に応じて変化する第２のばねの付勢力と、外気温の変化にかかわらずほぼ一定である第１のばねの付勢力との差を駆動源にして、通気用開口部の開閉板を開閉駆動させることにより、自動的に外部空間と内部空間との間における空気の連通状態を制御することを可能にしたものである。
【先行技術文献】
【特許文献】
【０００３】
【特許文献１】特開２０００−３３６７８８号公報
【特許文献２】特開２００８−２３１８１９号公報
【発明の概要】
【発明が解決しようとする課題】
【０００４】
このような通気制御装置は、建築物の基礎の立ち上がり壁部分や、建築物の外壁面に取り付けられるものであるため、建築物を新築する際には容易に採用することができるが、既存の建築物においては、建築物への取り付け方法が確立されておらず、通気制御装置の追加取り付けはほとんど見かけることができず、既存建築物へ通気制御装置の取り付けを望んでいるユーザの要求に十分応えることができないという課題がある。
【０００５】
本発明は、以上に示した課題を解決すべくなされたものであり、既存の建築物であっても容易にかつ確実に通気制御装置の取り付けを可能にする通気制御装置の取付具および通気制御装置と、通気制御装置の取付具固定方法を提供することを目的としている。
【課題を解決するための手段】
【０００６】
本発明は、上記目的を達成するため次の構成を備える。
すなわち、建築物の外部空間と内部空間とを隔てる隔壁に形成された開口部に通気制御装置を装着する際に用いられる通気制御装置の取付具であって、前記開口部の前記外部空間側における開口端面に前記開口部を横切る配置で取り付けられ、前記通気制御装置を前記開口部に取り付け保持する保持部材と、該保持部材を前記開口部に固定するための保持部材固定部を備え、前記保持部材固定部は、前記開口部の内部空間側壁面に係合する壁面係合部と、前記開口部において、前記外部空間と前記内部空間の間を往復動可能な状態で前記壁面係合部に装着されたネジと、前記ネジの前記開口部における往復動動作の一方の動作を拘束するワンウェイクラッチと、を有し、前記ワンウェイクラッチは、前記開口部において前記ネジを前記内部空間側へ押し込む移動動作時にアンロック状態となり、前記開口部において前記ネジを前記外部空間側に引き出す移動動作時にロック状態となることを特徴とする通気制御装置の取付具である。
【０００７】
また、前記壁面係合部は、コの字型に形成された本体部と、当該本体部の一方の先端部に形成され前記内部空間側壁面に係合する係合爪と、前記本体部を前記ネジに挿通保持させるための挿通孔と、前記ワンウェイクラッチを装着するための装着孔と、を有し、前記ワンウェイクラッチは略Ｌ字状の板体に形成され、一方の辺に前記ネジを挿通させるネジ挿通孔が設けられると共に、他方の辺が前記装着孔に挿入されることにより前記装着孔内に遊嵌保持されていて、前記ネジが前記開口部において前記外部空間側に引き出される際に、前記ネジ挿通孔に挿通させた前記ネジのネジ山に前記一方の辺が係合することによりロック状態になることを特徴とする。これにより、ワンウェイクラッチの構造を簡素にすることができ、故障が少なくかつ製造コストを低減させることができる。
【０００８】
また、前記板体は、前記ネジが挿通される側の前記一方の辺が中途位置において曲折部が形成されていることを特徴とする。これにより、ワンウェイクラッチ機構をより円滑に作動させることができ、使い勝手が大幅に向上する。
【０００９】
また、前記ネジは、前記内部空間側の端部には袋ナットが取り付けられていること特徴とする。これにより工具を用いなくても開口部に保持部材を取り付けすることができ、施工が容易になる。
【００１０】
また、前記保持部材は、両端部が曲折された略コの字型に形成されていて、当該曲折された両端部が前記通気制御装置に形成された装着固定部に装着されるべく、前記開口部に隣接する前記隔壁の外部空間側表面において起立していることを特徴とする。これにより保持部材への通気制御装置の取り付け作業を容易に行うことができる。
【００１１】
また、上記のうちのいずれかに記載されている通気制御装置の取付具への装着固定部が設けられていることを特徴とする通気制御装置としての発明もある。
【００１２】
また、上記のうちのいずれか一項に記載されている通気制御装置の取付具を、建築物の外部空間と内部空間とを隔てる隔壁に形成された開口部に固定する通気制御装置の取付具固定方法であって、前記開口部の外部空間側から前記内部空間に向けて前記壁面係合部と前記ネジを挿通させた前記ワンウェイクラッチを挿入する工程と、前記壁面係合部を前記開口部に隣接する前記隔壁の内部空間側壁面に係止させる工程と、前記ネジを前記内部空間側から前記外部空間側に引き出す方向に回転させることにより、前記ワンウェイクラッチをロック状態にすることにより、前記内部空間側壁面と前記通気制御装置の取付具との間で前記隔壁を挟持させた状態を維持させる工程と、を有することを特徴とする通気制御装置の取付具固定方法の発明もある。
【００１３】
さらには、上記のうちのいずれかに記載されている通気制御装置の取付具を、建築物の外部空間と内部空間とを隔てる隔壁に形成された開口部に固定する通気制御装置の取付具固定方法であって、前記開口部の外部空間側から前記内部空間に向けて前記壁面係合部と前記ネジを挿通させた前記ワンウェイクラッチを挿入する工程と、前記壁面係合部の本体部に形成された係合爪を前記内部空間側壁面に係合させる工程と、前記本体部に遊嵌保持された前記板体をアンロック状態にしながら、前記ネジを前記内部空間側から前記外部空間側に所要距離引き出すように回転させる工程と、前記本体部に遊嵌保持された前記板体のアンロック状態を開放した状態で、前記ネジを前記内部空間側から前記外部空間側に引き出すようにさらに回転させる工程と、前記ネジを前記開口部において前記外部空間側に引き出す際に、前記ネジ挿通孔に挿通させた前記ネジのネジ山に前記一方の辺を係合させることによりロック状態とし、前記内部空間側壁面と前記通気制御装置の取付具との間で前記隔壁を挟持させた状態を維持させる工程と、を有していることを特徴とする通気制御装置の取付具固定方法の発明もある。
【発明の効果】
【００１４】
本発明に係る通気制御装置の取付具および通気制御装置と通気制御装置の取付具固定方法によれば、新築の建築物はもちろんのこと、既存の建築物であっても容易にかつ確実に建築物の外部空間と内部空間とを隔てる隔壁に形成された開口部に容易に通気制御装置を取り付けすることが可能になる。
【図面の簡単な説明】
【００１５】
【図１】本実施形態における通気制御装置の取付具における右側半分を示した平面図である。
【図２】保持部材固定部の平面図である。
【図３】保持部材固定部のワンウェイクラッチをロック状態にした平面図である。
【図４】開口部に通気制御装置の取付具を取り付けた状態を示す床下空間側からの斜視図である。
【図５】開口部に通気制御装置を取り付けした状態を示す床下空間側からの斜視図である。
【図６】開閉板が開いた状態における通気制御装置の背面図である。
【図７】開閉板が開いた状態における通気制御装置の背面側斜視図である。
【図８】開閉板が閉じた状態における通気制御装置の背面図である。
【図９】開閉板が閉じた状態における通気制御装置の背面側斜視図である。
【図１０】開閉板が開いた状態における通気制御装置の正面図である。
【発明を実施するための形態】
【００１６】
以下、本発明の好適な実施の形態を、添付図面にしたがって詳細に説明する。
本実施形態にかかる通気制御装置の取付具１０は、図１および図４に示すように、建築物の外部空間と内部空間を隔てる隔壁である基礎の立ち上がり壁２０に形成された開口部２２を横切る配置で取り付けられた保持部材３０と、保持部材３０を開口部２２に固定するための固定手段である保持部材固定部４０とを有している。
【００１７】
保持部材３０は、開口部２２を横切る平坦部３２と両端部が平坦部３２に対して屈曲させた屈曲部３４とを有し、全体形状が略コ字状に形成されている。平坦部３２および屈曲部３４には板厚方向に貫通する貫通孔３６，３７とネジ孔３８がそれぞれ形成されている。平坦部３２に形成された貫通孔３６は屈曲部３４の屈曲位置の近傍位置に配設されており、基礎の立ち上がり壁２０の外表面へコンクリート釘により保持部材３０を固定する際に用いることができる。また、屈曲部３４に形成された貫通孔３７は後述する通気制御装置５０を保持部材３０に装着固定するための固定ネジが取り付け可能に形成されている。
【００１８】
保持部材３０が基礎の立ち上がり壁２０の表面と接触する部位には、当接部材３９が取り付けられていることが好ましい。このような当接部材３９としては、緩衝性のある芯材を備えた両面テープ等を用いることが好ましい。保持部材３０に当接部材３９を設けることにより、開口部２２への保持部材３０の取り付け状態を安定化させる（取り付け後における保持部材３０のずり落ちを防ぐ）ことができる点で好都合である。
【００１９】
基礎の立ち上がり壁２０の開口部２２に保持部材３０を取り付けする際には、先述のようにコンクリート釘を貫通孔３６に打ちこむ方法の他に、図１〜図３に示すような保持部材固定部４０を用いることもできる。保持部材固定部４０は保持部材３０に形成されたネジ孔３８に挿通させたネジ４９に挿通保持された状態で立ち上がり壁２０の開口部２２部分に取り付け保持される。本実施形態においては、ネジ４９の先端に袋ナット４９Ａを、保持部材３０側には蝶ナット４９Ｂをそれぞれ取り付けることによりネジ４９を締結可能にしている。
【００２０】
保持部材固定部４０は、図２に示すように、平板を略コの字型に形成した本体部４１と、本体部４１に装着されるワンウェイクラッチ４８を有している。本体部４１の両端縁部分における屈曲部４２にはネジ挿通孔４３が形成されている。また、本体部４１の一方の屈曲部４２の先端部には基礎の立ち上がり壁２０に係合させる係合爪４４が形成されている。
図からも明らかであるが、係合爪４４が形成されている方の屈曲部４２における屈曲点から先端部までの延長は、他方の屈曲部４２における屈曲点から先端部までの延長よりも長く形成されている。このような屈曲部４２に形成することで、基礎の立ち上がり壁２０の開口部２２の外側から内側に向って保持部材固定部４０を取付する際の作業性が良好になると共に、開口部２２の開口縁に近接する位置に保持部材固定部４０を取り付けすることができる点において好都合である。
【００２１】
また、本体部４１の略中央部分にはワンウェイクラッチ４８を本体部４１に装着させるための装着孔４５が形成されている。本実施形態にかかるワンウェイクラッチ４８は、本体部４１より幅狭な平板を屈曲角度が略直角に近い鋭角をなした略Ｌ字型に曲折されている。ワンウェイクラッチ４８の一方の辺４８Ａには曲折部４８Ｃが形成されており、曲折部４８Ｃから一方の辺４８Ａの先端側に隣接する部分にネジ４９を挿通させるためのネジ挿通孔４９Ｃが形成されている。これに対して他方の辺４８Ｂは本体部４１の装着孔４５に挿通されることにより、ワンウェイクラッチ４８を遊嵌状態で本体部４１に装着させている。
【００２２】
このようなワンウェイクラッチ４８は、本体部４１およびワンウェイクラッチ４８を挿通させたネジ４９が建築物の外部空間側から内部空間に入り込む側（図２中における矢印Ｘの向き）に移動をする際には、一方の辺４８Ａがネジ４９と接触することで、装着孔４５に挿入されている他方の辺４８Ｂが本体部４１に当接する方向にワンウェイクラッチ４８が回動することになる。これによりネジ挿通孔４９Ｃの開口面はネジ４９の挿通方向に対して略直交した状態となり、ネジ挿通孔４９Ｃの周縁にネジ４９のネジ山が非接触の状態で挿通することになるから、ワンウェイクラッチ４８はアンロック状態となる。
【００２３】
これとは反対に、ネジ４９が建築物の内部空間側から外部空間に引き抜かれる側（図３中における矢印Ｙの向き）に移動をする際には、一方の辺４８Ａがネジ４９のネジ山と接触することで、装着孔４５に挿入されている他方の辺４８Ｂが本体部４１から離反する方向にワンウェイクラッチ４８が回動することになる。これによりネジ挿通孔４９Ｃはネジ４９の挿通方向に対して非直交状態となる。すなわちネジ挿通孔４９Ｃのネジ挿通方向に対する直交面への投影面積が狭くなり、ネジ挿通孔４９Ｃの周縁がネジ４９の外周面であるネジ山に係合し、ワンウェイクラッチ４８はロック状態または、ネジ４９を締結するための回転トルクが大幅に大きくなるのである。
【００２４】
もし、ネジ４９を内部空間側に挿入し過ぎた場合には、作業者は、ワンウェイクラッチ４８の他方の辺４８Ｂを本体部４１に当接させるように操作しながらネジ４９を内部空間から外部空間側に引き出しすることができる。ネジ４９を十分引き出したのちは、ワンウェイクラッチ４８の他方の辺４８Ｂから手を放し、引き続きネジ４９を内部空間側から外部空間側に引き出すように蝶ネジ４９Ｂ締め付けて、ネジ４９を締結させればよい。
【００２５】
このようなワンウェイクラッチ４８を用いることにより、開口部２２に隣接する立ち上がり壁２０の内側面に係合する係合爪４４と、開口部２２を横切って配設された保持部材３０の外部空間側面に当接している蝶ネジ４９Ｂとの間で立ち上がり壁２０の内側面と外側面が挟持された状態となり、開口部２２位置で保持部材３０を固定することができる。保持部材３０には立ち上がり壁２０との接触面にいわゆる緩衝材を芯材とする両面テープが当接部材３９として貼着されているため、保持部材３０と立ち上がり壁２０との密着度は良好であり、保持部材３０が立ち上がり壁２０から脱落することはない。
このような保持部材３０の取り付け形態に加えて、先に説明したコンクリート釘を用いた保持部材３０の固定方法を併用することもできる。
【００２６】
基礎の立ち上がり壁２０の開口部２２に保持部材３０が取り付けられると、保持部材３０の両端部の屈曲部３４が基礎の立ち上がり壁２０の外側表面から起立した状態となる。通気制御装置５０の本体部５１には、屈曲部３４が起立する部位に位置合わせした箇所に装着固定部である装着固定溝５２およびネジ孔５３が形成されているので、屈曲部３４を装着固定溝５２に挿入し、ネジ孔５３と貫通孔３７に挿通させた固定ネジにより固定すれば、通気制御装置５０を保持部材３０に装着固定することができる。
【００２７】
本実施形態における通気制御装置５０は、通常の鋼材からなる第１の付勢材と、熱感知型形状記憶合金からなる第２の付勢材と、がそれぞれ係合されたリンク部（いずれも図示せず）と、このリンク部の回動動作に連携して回動する複数の開閉板５４とを有している。本体部５１に形成された通気用開口部５５の通気状態のオンオフ状態は、開閉板５４の回動動作によって切り替え制御されている。図６〜図９は通気制御装置の開閉板が開いた状態および閉じた状態を示す背面図および背面側からの斜視図である。ここで、通気制御装置５０の背面図とは床下空間側から通気制御装置を臨んだ図である。図１０は、図６に示した通気制御装置の正面図である。
【００２８】
通気制御装置５０の動作について説明する。
通気制御装置５０は、温度変化に伴う付勢力の変化がほとんど生じない通常の鋼材からなる第１の付勢部材による付勢力と、外部空間の温度変化に伴って付勢力が大きく変化する熱感知型形状記憶合金からなる第２の付勢部材による付勢力の差を駆動源としてリンク部を回動させている。このように外気温の温度変化によって回転可能に形成されたリンク部には、外気温が高い場合（夏季）には通気用開口部５５を開口させる方向に回動し、外気温が低い場合（冬季）には通気用開口部５５を閉塞させる方向に回動するように、開閉板５４が連携されている。このような通気制御装置５０における開閉板５４の開閉動作機構の具体的な構造については、本出願人による特許第４５９５３９６号等に開示されている構成を採用することが好ましい。
【００２９】
通気制御装置５０の本体部５１の基礎の立ち上がり壁２０への当接部分には、保持部材３０に取り付けた当接部材３９と同じ当接部材５６が貼着されている。これにより、基礎の立ち上がり壁２０と通気制御装置５０との間の気密は適切な状態に維持されている。通気制御装置５０には、通気用開口部５５内における開閉板５４の取り付け位置よりも室外側の部分に、メッシュ部材５７Ａと保護板５７Ｂがそれぞれ記載されている順に取り付けられている。また、図６および図８に示すように、本体部５１の背面側には、第１および第２の付勢部材とリンク部等の開閉動作機構が収容されている収容部に、外気取込用開口部５８を穿設している。収容部内にある第１および第２の付勢部材はこの外気取込用開口部５８により外部空気と直接接触可能になっているので、外気温の温度変化は速やかに第１および第２の付勢部材の温度変化に反映され、開閉板５４の開閉動作が行わることになる。
【００３０】
また、図１０に示すように本体部５１の室外側表面には、開閉動作機構の操作用レバー５９が装着されている。操作用レバー５９は第１の付勢部材または第２の付勢部材もしくはこれらが係合された係合部材に連結されている。ユーザが操作用レバー５９を第１および第２の付勢部材の伸縮方向にスライドさせることにより、収容部内に侵入した砂等を払い落とすことができる。また、操作用レバー５９のスライド時の抵抗を把握することにより、通気制御装置５０を取り外しすることなく本体５１の内部に収容されている開閉動作機構の作動状態を簡単にチェックすることもできる。
【００３１】
以上に本願発明に係る通気制御装置の取付具１０と、これを装着可能な装着固定部を有する通気制御装置５０について実施形態に基づいて詳細に説明を行ったが、本願発明は、以上の実施形態に限定されるものではない。例えば、本実施形態において説明したワンウェイクラッチ４８の構成はその一例を示しているにすぎない。すなわち、自在鉤に適用されているような他の公知のワンウェイクラッチの構成を採用することももちろん可能である。
【００３２】
また、本実施形態においては、保持部材３０を開口部２２の水平方向に横切る配置で開口部２２に取り付けした形態について説明しているが、開口部２２に対して上下方向に横切らせる（掛け渡す）配置で開口部２２に取り付けする形態を採用してもよい。
また、本実施形態においては、通気制御装置５０を保持部材３０に装着固定するための装着固定部として装着固定溝５２を採用した構成について説明しているが、差込部等の他の構成を装着固定部として採用することもできる。
また、ネジ４９の保持部材３０側には、蝶ナット４９Ｂ用いてネジ４９を締結しているが、通常のネジ４９を採用することもできる。
【００３３】
また、通気制御装置５０はいわゆる床下空間と外部空間との間の空気の流通を外気温の温度変化に応じてオンオフ制御する地窓の形態について説明しているが、この実施形態に限定されるものではない。例えば、手動により床下空間と外部空間との間の空気の流通状態をオンオフ切替する地窓であってもよい。また、建屋の壁面に設けた開口部に装着する通気制御装置に本願発明を適用することももちろん可能である。
【符号の説明】
【００３４】
１０  取付具
２０  壁
２２  開口部
３０  保持部材
３２  平坦部
３４  屈曲部
３６，３７  貫通孔
３８  ネジ孔
３９  当接部材
４０  保持部材固定部
４１  本体部
４２  屈曲部
４３  ネジ挿通孔
４４  係合爪
４５  装着孔
４８  ワンウェイクラッチ
４８Ａ  一方の辺
４８Ｂ  他方の辺
４８Ｃ  曲折部
４９  ネジ
４９Ａ  袋ナット
４９Ｂ  蝶ナット
４９Ｃ  ネジ挿通孔
５０  通気制御装置
５１  本体部
５２  装着固定溝
５３  孔
５４  開閉板
５５  通気用開口部
５６  当接部材
５７Ａ  メッシュ部材
５７Ｂ  保護板
５８  外気取込用開口部
５９  操作用レバー
【図１】
0005386755.tif 000002
【図２】
0005386755.tif 000003
【図３】
0005386755.tif 000004
【図４】
0005386755.tif 000005
【図５】
0005386755.tif 000006
【図６】
0005386755.tif 000007
【図７】
0005386755.tif 000008
【図８】
0005386755.tif 000009
【図９】
0005386755.tif 000010
【図１０】
0005386755.tif 000011